(57)【要約】【課題】旋回軸受への給脂作業を作業者一人でも容易に行うことができ、しかも安全な給脂作業を可能にする。【解決手段】作業機械は、下部走行体と、この下部走行体上に旋回可能に設けられ且つ運転室７を備えた上部旋回体と、該上部旋回体を前記下部走行体上に旋回可能に支持するための旋回装置と、この旋回装置を構成する旋回軸受の外輪に設けられ該旋回軸受に潤滑油を供給する給脂口とを備えている。前記上部旋回体の運転室内には、前記給脂口に潤滑油を充填するための充填口１８，１９が設置され、前記充填口と前記給脂口とは配管で接続されている。また、前記充填口への給脂作業時に、誤って各種アクチュエータが作動するのを防止する誤動作防止手段（給脂スイッチ２６など）が備えられている。【選択図】図８
2012149680.tif 000002
【特許請求の範囲】
【請求項１】
下部走行体と、前記下部走行体上に旋回可能に設けられ且つ運転室を備えた上部旋回体と、前記上部旋回体を前記下部走行体上に旋回可能に支持するための旋回装置と、前記旋回装置を構成する旋回軸受の外輪に設けられ該旋回軸受に潤滑油を供給する給脂口とを備えている作業機械において、
前記上部旋回体の運転室内に設置され、前記給脂口に潤滑油を充填するための充填口と、
前記充填口と前記給脂口とを接続する配管と、
前記充填口への給脂作業時に、誤って各種アクチュエータが作動するのを防止する誤動作防止手段と
を備えていることを特徴とする作業機械。
【請求項２】
請求項１に記載の作業機械おいて、前記誤動作防止手段は、給脂作業に連動してＯＮ／ＯＦＦされる給脂スイッチを備え、この給脂スイッチのＯＮ／ＯＦＦにより、給脂作業時には前記各種アクチュエータの動作を不能に構成していることを特徴とする作業機械。
【請求項３】
請求項２に記載の作業機械おいて、前記充填口は運転室の床板に形成した開口部に取付ブロックを介して設置されると共に、前記開口部を開閉するための給脂カバーを設け、前記給脂スイッチは前記給脂カバーの開閉に連動してＯＮ／ＯＦＦされる構成としたことを特徴とする作業機械。
【請求項４】
請求項２に記載の作業機械おいて、前記充填口は運転室の床板に取付ブロックを介して設置されると共に、前記充填口に隣接して前記給脂スイッチを配設し、給脂手段の接続口を前記充填口に接続する動作に連動して前記給脂スイッチがＯＮ／ＯＦＦされる構成としたことを特徴とする作業機械。
【請求項５】
請求項１〜４の何れかに記載の作業機械おいて、前記旋回軸受の外輪に設けられ該旋回軸受に潤滑油を供給する前記給脂口は、前記外輪の外周方向の複数個所に設けられると共に、前記充填口も前記複数個の給脂口のそれぞれに対応して複数個設けられ、前記各給脂口と前記各充填口はそれぞれ配管を介して接続され、且つ前記複数個の充填口は運転室内に集中して設けられていることを特徴とする作業機械。
【発明の詳細な説明】
【技術分野】
【０００１】
本発明は、例えば下部走行体上に旋回装置を介して上部旋回体が旋回可能に搭載された油圧ショベル、油圧クレーンなどの作業機械に関し、特に作業機械における下部走行体に上部旋回体を旋回自在に取り付ける旋回軸受への給脂構造に関する。
【背景技術】
【０００２】
作業機械としての例えば油圧ショベルは、下部走行体、この下部走行体上に設けられた上部旋回体、前記下部走行体上に上部旋回体を旋回可能に支持する旋回装置、及び前記上部旋回体の前側に俯仰動可能に設けられた作業装置などにより構成されている。また、前記上部旋回体は、支持構造体としての旋回フレーム、該旋回フレームの後側に搭載されたエンジン、及び前記旋回フレームの左前側に設けられた運転室などにより構成されている。
【０００３】
一方、前記旋回装置は、下部走行体のフレームの上面側に取付けられる内輪、旋回フレームの底面に取付けられ前記内輪の外周側を取囲む外輪、前記外輪と内輪とを旋回自在に連結する転動体としての多数個の鋼球、及び前記内輪に設けられた内歯歯車に噛み合うピニオンを有すると共に前記旋回フレームに取り付けられた旋回モータなどにより構成されている。前記内輪、外輪及び多数個の鋼球により旋回軸受（ころがり軸受）を構成している。
【０００４】
前記旋回軸受には、例えばグリースなどの潤滑油を、前記鋼球が転がる溝に定期的に給脂する必要がある。  
このため、外輪の外周側には、周方向の複数個所にグリースを供給するための給脂口を設け、これらの各給脂口にはグリースニップルなどの充填口を取付けていた。これにより、作業者は、前記充填口にグリースガンを接続し、給脂口を介して前記旋回軸受の内輪及び外輪に形成された溝にグリースを給脂することができる。しかし、この給脂作業では、外輪の周囲に充填口が点在しているから、作業者は、各充填口の位置に合せて油圧ショベルの周囲を移動しながら給脂しなくてはならず、給脂作業に手間を要していた。
【０００５】
この給脂作業を改善する従来技術として特許文献１や特許文献２に記載のものがある。
特許文献１に記載のものは、旋回装置の外輪の前側、または前側と右側に配置した充填口の近傍に、他の位置の給脂口に接続したホースの端部を他の充填口として配置したものである。これにより、作業者は、充填口とホースの端部の充填口にグリースガンを接続することにより、油圧ショベルの周囲を頻繁に移動することなく複数個所の給脂口から給脂することができる。
また、前記特許文献２のものでは、前記給脂作業を、上部旋回体の下に潜ることなく作業性の良いところで行えるようにし、また給脂口を上部旋回体に集約して配置するようにしている。
【先行技術文献】
【特許文献】
【０００６】
【特許文献１】特開２０００−２０５２８３号公報
【特許文献２】特開２０００−１１０１９７号公報
【発明の概要】
【発明が解決しようとする課題】
【０００７】
上記特許文献１に記載のものも、上記特許文献２に記載のものも、上部旋回体の下に潜ることなく作業性の良いところで給脂が行えるように配慮されている。しかし、上部旋回体は前記旋回軸受により３６０度回転する構成であり、旋回軸受全体に給脂を行うためには、上部旋回体を少しづつ動かしながら給脂作業をする必要がある。即ち、最初の給脂後、上部旋回体を少し動かして停止させ、給脂をし、また少し動かして給脂することを繰り返し行わなければならない。
【０００８】
特許文献１のものでは給脂口を４箇所設けているので、前記給脂作業の繰り返し回数は少なくできるものの、その給脂作業の繰り返し回数は数回以上となる。給脂作業の繰り返し回数を低減するためには、給脂口やこれに接続するホースの数を増やす必要があり、コストアップや信頼性における課題が生じる。
【０００９】
前述した給脂作業を繰り返すためには、作業性の良いところに給脂口を設けたとしても、給脂後、上部旋回体を少し旋回させる作業を何度も繰り返す必要があり、このため作業者は、運転室への乗り降りが何度も必要になる。或いは、運転手と給脂作業をする人の二人がかりでの作業になるという課題があった。
また、給脂作業は旋回動作を行う上部旋回体に対して行う必要があり、給脂作業中に上部旋回体を誤って旋回動作させる虞があり、この点に十分な注意を払う必要があるが、上記従来のものでは、この点についての配慮はない。
【００１０】
本発明の目的は、旋回軸受への給脂作業を作業者一人でも容易に行うことができ、しかも安全な給脂作業を可能にする作業機械を得ることにある。
【課題を解決するための手段】
【００１１】
上記目的を達成するため、本発明は、下部走行体と、前記下部走行体上に旋回可能に設けられ且つ運転室を備えた上部旋回体と、前記上部旋回体を前記下部走行体上に旋回可能に支持するための旋回装置と、前記旋回装置を構成する旋回軸受の外輪に設けられ該旋回軸受に潤滑油を供給する給脂口とを備えている作業機械において、前記上部旋回体の運転室内に設置され、前記給脂口に潤滑油を充填するための充填口と、前記充填口と前記給脂口とを接続する配管と、前記充填口への給脂作業時に、誤って各種アクチュエータが作動するのを防止する誤動作防止手段とを備えていることを特徴とする。
【００１２】
前記誤動作防止手段は、給脂作業に連動してＯＮ／ＯＦＦされる給脂スイッチを備え、この給脂スイッチのＯＮ／ＯＦＦにより、給脂作業時には前記各種アクチュエータの動作が不能になる構成にすると良い。
【００１３】
ここで、前記充填口を、運転室の床板に形成した開口部に、取付ブロックを介して設置すると共に、前記開口部を開閉するための給脂カバーを設け、前記給脂スイッチは前記給脂カバーの開閉に連動してＯＮ／ＯＦＦされる構成にすると良い。
【００１４】
また、前記充填口を、運転室の床板に取付ブロックを介して設置すると共に、前記充填口に隣接して前記給脂スイッチを配設し、給脂手段の接続口を前記充填口に接続する動作に連動して前記給脂スイッチがＯＮ／ＯＦＦされる構成としても良い。
【００１５】
前記旋回軸受の外輪に設けられ該旋回軸受に潤滑油を供給する前記給脂口は、前記外輪の外周方向の複数個所に設けられると共に、前記充填口も前記複数個の給脂口のそれぞれに対応して複数個設けられ、前記各給脂口と前記各充填口はそれぞれ配管を介して接続され、且つ前記複数個の充填口は運転室内に集中して設けられるようにすることが好ましい。
【発明の効果】
【００１６】
本発明によれば、上部旋回体の運転室内に設置され、給脂口に潤滑油を充填するための充填口と、前記充填口と前記給脂口とを接続する配管と、前記充填口への給脂作業時に、誤って各種アクチュエータが作動するのを防止する誤動作防止手段とを備えているので、作業者が給脂作業中に運転席から乗り降りする必要がなくなり、旋回軸受への給脂作業を作業者一人でも容易に行うことができると共に、安全な給脂作業を可能にする作業機械を得ることができる。
【図面の簡単な説明】
【００１７】
【図１】本発明の実施例１を示す作業機械としてのホイール式の油圧ショベルを示す正面図。
【図２】図１中の外輪、旋回フレーム、配管などを示す平面図。
【図３】図１中の外輪、旋回フレーム、配管などを示す底面図。
【図４】図２中の矢印IV−IV方向からみた旋回フレームと旋回装置の要部拡大断面図。
【図５】図４中の外輪、内輪よび鋼球を拡大して示す要部拡大断面図。
【図６】配管、アンダカバーの配置関係を旋回フレームの下側からみた要部拡大斜視図。
【図７】図１中の矢印VII−VII方向からみた運転室の断面図。
【図８】図７に示した取付ブロックと各充填口の部分の拡大斜視図。
【図９】本発明の実施例１の誤動作防止手段を説明する回路図。
【図１０】本発明の実施例２を説明する図で、充填口の部分を拡大して示す要部拡大図。
【発明を実施するための形態】
【００１８】
以下、本発明の実施例について図面を用いて説明する。  
【実施例１】
【００１９】
図１〜図９は本発明の作業機械の実施例１を示す。本実施例では、作業機械として、ホイール式の油圧ショベルを例に挙げ説明する。  
図１において、１はホイール式の油圧ショベルで、該油圧ショベル１は、自走可能なホイール式の下部走行体２と、この下部走行体２上に搭載された上部旋回体５と、前記下部走行体２上に上部旋回体５を旋回可能に支持する旋回装置１０と、前記上部旋回体５の前側に俯仰動可能に設けられた作業装置２３などにより構成されている。
【００２０】
前記下部走行体２は、前，後方向に延びるボックス状に形成された車体フレーム３と、前記車体フレーム３の前，後位置、左，右位置にそれぞれ設けられたホイールとしての車輪４などにより構成されている。また、前記車体フレーム３の上面中央部には、図１に示すように丸胴３Ａが設けられ、前記丸胴３Ａの上部には、前記旋回装置１０の内輪１１（図４参照）が取付けられている。また、前記車体フレーム３の左，右両側には、前，後の車輪４間に位置して乗降用のステップ３Ｂが設けられている。
【００２１】
前記上部旋回体５は、前記下部走行体２の車体フレーム３上に旋回可能に搭載されるもので、旋回フレーム６、運転室７、カウンタウエイト８、建屋カバー９などにより構成されている。
【００２２】
前記旋回フレーム６は、支持構造体として形成されている。また、旋回フレーム６は、図２、図３などに示す如く、前側の中央付近に配置されほぼ四角形状の厚肉な鋼板からなる底板６Ａ、前記底板６Ａに前，後方向に延びて立設された左縦板６Ｂ、右縦板６Ｃ、左端部を前，後方向に延びた左サイドフレーム６Ｄ、右端部を前，後方向に延びた右サイドフレーム６Ｅ、前記各縦板６Ｂ，６Ｃと各サイドフレーム６Ｄ，６Ｅとを連結する複数本の張出しビーム６Ｆ、及び左前側に設けられた運転室取付台６Ｇなどにより構成されている。
【００２３】
また、前記旋回フレーム６の下面側には、前記建屋カバー９内への土砂などの侵入を防止するために複数枚のアンダカバー６Ｈが取付けられている。これら各アンダカバー６Ｈのうち、運転室７の下側（旋回装置１０の左側）に位置する１枚のアンダカバー６Ｈには、図３、図６に示すように、旋回装置１０の近傍に配管通し口６Ｈ1が形成されている。
【００２４】
前記底板６Ａには、図４に示すように、その下面側に前記旋回装置１０の外輪１２がボルト止めされ、その外輪１２の内周側近傍に位置して旋回モータ１４が取付けられている。また、前記左，右の縦板６Ｂ，６Ｃの前側部分には、作業装置２３が俯仰動可能に取付けられている。
【００２５】
図１に示す前記カウンタウエイト８は、前記旋回フレーム６の後端部に取付けられ、前記作業装置２３との重量バランスをとるためのものである。前記建屋カバー９は、前記運転室７と前記カウンタウエイト８との間に位置して旋回フレーム６上に設けられている。この建屋カバー９は、旋回フレーム６上に搭載されたエンジン、タンクなど（いずれも図示せず）を覆うものである。
【００２６】
図１に示す前記作業装置２３は、旋回フレーム６を構成する各縦板６Ｂ，６Ｃの前部に取付けられ、土砂の掘削作業などを行うものである。
【００２７】
前記運転室７は、図７に示すように、運転室ボックス７Ａの底部を床板７Ｂで閉塞することにより縦長な箱状体として形成されている。また、運転室７内には、前記床板７Ｂ上にオペレータが着座する運転席７Ｃが設けられ、この運転席７Ｃの左，右両側には、前記旋回装置１０と前記作業装置２３を操作する左，右の操作レバー７Ｄが配設されている。また、前記運転席７Ｃの前側の床板７Ｂには、下部走行体２を操作するためのハンドル７Ｅが立設されている。
【００２８】
前記旋回装置１０は、前記下部走行体２上に前記上部旋回体５を旋回可能に支持するもので、この旋回装置１０は、図４，図５などに示すように、内輪１１、外輪１２、鋼球１３、及び旋回モータ１４などにより構成されている。
【００２９】
前記内輪１１は前記下部走行体２側に設けられ、図１に示すように、車体フレーム３の丸胴３Ａ上に複数本のボルトなどを用いて固定されている。また、前記内輪１１の内周側には内歯歯車１１Ａが全周に亘って形成され、前記内歯歯車１１Ａは前記旋回モータ１４に取り付けたピニオン１４Ａに噛合している。更に、前記内輪１１の外周面には、図５に示すように半円形状の案内溝１１Ｂが全周に亘って形成され、この案内溝１１Ｂは旋回装置１０の旋回軸受の一部を構成している。
【００３０】
前記外輪１２は前記内輪１１の外周側を取囲むように設けられ、この外輪１２は前記旋回フレーム６の底板６Ａ下面に複数本のボルトなどを用いて固定されている。また、前記内輪１１と対向する外輪１２の内周面には、半円形状の案内溝１２Ａが全周に亘って形成され、この案内溝１２Ａも前記旋回装置１０の旋回軸受の一部を構成している。更に、前記外輪１２には、前側位置と後側位置にそれぞれ給脂口１５，１６が設けられている。
【００３１】
図４，図５に示す１３は、前記内輪１１と外輪１２との間に設けられた転動体としての多数個の鋼球である。これら多数個の鋼球１３は、前記内輪１１の案内溝１１Ｂと前記外輪１２の案内溝１２Ａとの間に、それぞれ転動可能に配置されている。これにより、各鋼球１３は、内輪１１と外輪１２とを互いに相対回転可能に支持する旋回軸受を構成している。
【００３２】
図４に示す前記旋回モータ１４は、旋回フレーム６の底板６Ａ上に取付けられており、この旋回モータ１４は、減速装置（図示せず）を内蔵した油圧モータとして構成されている。また、前記旋回モータ１４の出力側に取り付けたピニオン１４Ａは、前記内輪１１の内歯歯車１１Ａに噛合している。これにより、旋回モータ１４は、ピニオン１４Ａを回転駆動することにより、前記内輪１１に対して上部旋回体５を旋回させることができる。
【００３３】
図４において、１５は前記旋回装置１０を構成する旋回軸受の外輪１２に設けられた前側給脂口である。この前側給脂口１５は、外輪１２を旋回フレーム６に取付けたときに前側となる位置に径方向に設けられている。また、この給脂口１５は、その径方向の外側が外部に開口し、内側が前記案内溝１２Ａの溝底に開口している。
【００３４】
前側給脂口１５は、前記作業装置２３の下側奥方の位置に設けられている。このため、給脂口１５からの給脂作業は、作業装置２３などが邪魔になって困難になる。
そこで、本実施例では、前側給脂口１５を、旋回フレーム６の左側上部に設けられている前記運転室内に配置した後述の前側充填口１８に、前側配管２１を介して接続するようにしている。従って、本実施例によれば、グリースなどの潤滑油を、運転室内から前記前側給脂口１５に容易に供給することができる。
【００３５】
１６は、前記外輪１２の後側（前側給脂口１５とは径方向反対側となる位置）に設けられた後側給脂口である。この後側給脂口１６は、前述した前側給脂口１５と同様に、その径方向外側が外部に開口し、内側が前記案内溝１２Ａの溝底に開口している。
【００３６】
前記後側給脂口１６も、旋回フレーム６の下側奥方の位置に設けられているから、カウンタウエイト８などが邪魔になり、後側給脂口１６からの給脂作業を困難にしている。そこで、この後側給脂口１６についても、前述した前側給脂口１５とほぼ同様に、前記運転室内に配置した後述の後側充填口１９に、後側配管２２を介して接続している。従って、後側給脂口１６にもグリースなどの潤滑油を、運転室内から容易に供給することができる。
【００３７】
図７において、１７は運転室７の内部の床板７Ｂに設置された取付ブロックで、この取付ブロック１７は、運転操作の邪魔にならない位置、例えば床板７Ｂの左前側におけるハンドル７Ｅの側方下部に配置されている。また、この取付ブロック１７の上面には前側充填口１８と、この前側充填口１８の後側に並べて配置された後側充填口１９が設けられている。
【００３８】
更に、この取付ブロック１７の下面或いは下部側面には、図２に示すように、前側配管２１及び後側配管２２が接続されている。そして、前記前側充填口１８は前側配管２１に、前記後側充填口１９は後側配管２２に連通するように、油通路（図示せず）が前記取付ブロック１７に形成されている。これにより、前記取付ブロック１７に設置された前記各充填口１８，１９に、運転室７内から容易にグリースガンなどの給脂手段（図示せず）の接続口を接続することができる。
【００３９】
また、前記各充填口１８，１９は、前記配管２１，２２を介して前記外輪１２の各給脂口１５，１６に接続されており、更に、これらの充填口１８，１９は、運転席７Ｃの前側近傍に集中して配設されているので、運転室７内から容易に旋回軸受に給脂することができる。
【００４０】
本実施例によれば、各充填口１８，１９を運転室７内に設置しているから、オペレータは、運転室７に出入りするときを利用して給脂することができる。また、運転室７に搭乗したままで、または運転席７Ｃに着座した楽な姿勢で給脂作業を行うことができる。更に、降雨時でも濡れることなく給脂作業を行うことができる。  
そして、各充填口１８，１９は、例えばグリースニップルにより構成されており、グリースガンの接続口を簡単に接続することができる。
【００４１】
本実施例では、各充填口１８，１９は、運転室７内に設置されているので、各充填口１８，１９が外部に露出しておらず、各充填口１８，１９が飛石などにより損傷したり、土砂が付着することも防止できる。
【００４２】
前記配管２１，２２は、その一方側がアンダカバー６Ｈ上に配置され、その一端部は取付ブロック１７に接続されている。そして、取付ブロック７に形成された油通路を介して前側充填口１８，１９に接続されている。前記配管２１，２２の他方側は、図３、図６に示すように、配管通し口６Ｈ1を通って前記外輪１２の周囲に沿って配設され、その他端部はそれぞれ、前側給脂口１５または後側給脂口１６に接続されている。
【００４３】
これにより、前記配管２１，２２は、各充填口１８，１９と各給脂口１５，１６とを接続することができるから、グリースガンから各充填口１８，１９に充填されるグリースを、作業者が近付き難い離れた位置の各給脂口１５，１６に供給することができる。
【００４４】
前述した前側配管２１や後側配管２２は、本実施例では、樹脂材料で構成された自由に曲げることができるホースなどの可撓配管を採用している。なお、金属パイプからなる固定配管を使用するようにしても良い。
【００４５】
ところで、本実施例では、各充填口１８，１９を運転室７内に設置するようにしているが、グリースガンから各充填口１８，１９への給脂作業中に、作業者が、運転室内の操作レバー７Ｄや、油圧ショベルを走行させるための走行操作手段などに誤って接触し、上部旋回体５を旋回させたり、作業装置２３を動作させる、或いは油圧ショベルを走行させてしまうなど、誤った動作をさせてしまうおそれがある。
【００４６】
そこで、本実施例では図８及び図９に示すような誤動作防止手段を講じている。  
図８は、図７に示した取付ブロック１７と各充填口１８，１９の部分の拡大斜視図である。前記取付ブロック１７は運転室７の床板７Ｂの左前方側に形成された開口部７Ｂ1に位置するように、前記床板７Ｂ下面にボルトなどにより取り付けられている。この取付ブロック１７の上面の前方にはグリースガンを接続するためのグリースニップルで構成された前側充填口１８が、その後側には同じくグリースニップルで構成された後側充填口１９が設置されている。
【００４７】
２５は前記各充填口１８，１９が設けられている前記開口部７Ｂ1を開閉するための給脂カバーであり、給脂作業を実施する場合にはこの給脂カバーを開くことで、前記各充填口１８，１９にグリースガンを接続できる状態になる。２６は前記開口部７Ｂ1に設けられた給脂スイッチで、この給脂スイッチ２６は前記給脂カバー２５を閉めると、該カバー２５により釦２６ａが押されてＯＮの状態となり、給脂カバー２５を開けると前記釦２６ａが戻り、給脂スイッチ２６は開放されてＯＦＦの状態となるように構成されている。
このように本実施例では、給脂作業に連動して、即ち給脂カバー２５の開閉に連動してＯＮ／ＯＦＦされる給脂スイッチ２６を備えている。
【００４８】
図９は本実施例の誤動作防止手段を説明する回路図である。  
図９において、２７は、各種アクチュエータ（ブームシリンダ、アームシリンダ、バケットシリンダ、旋回モータ、走行モータなど）を操作するために、前記各種アクチュエータへの圧油の供給を制御する前記操作レバー７Ｄや前記走行操作手段に対し、パイロット用の圧油を供給するパイロット用油圧ポンプである。２８は、前記パイロット用油圧ポンプ２７からの圧油を、前記操作レバーや前記走行操作手段へ供給・停止するのを切り換える切換弁で、この切換弁２８はソレノイド装置２８ａの励磁によって、バネ２８ｂの力に対抗して切換えられる。
【００４９】
２９は前記ソレノイド装置２８ａを励磁するための電源（バッテリー）、３０は前記各種アクチュエータへの圧油の供給を遮断して、前記作業装置２３や上部旋回体５などの駆動を不能に保持するためのゲートロックで、このゲートロック３０の接点はゲートロックレバー（図示せず）などにより開閉され、ロック状態では接点が開かれ、アンロック状態では閉じられる。
【００５０】
３１は前記給脂スイッチ２６の接点で、通常は閉じているが、前記給脂カバー２５が開かれ給脂可能な状態になると、前記給脂スイッチ２６がＯＦＦとなり、給脂スイッチの接点３１は開かれる。  
油圧ショベルの通常の作業時には、ゲートロック３０の接点は閉じられ、また給脂スイッチの接点３１も閉じられているので、油圧ショベルは各種アクチュエータを操作して任意の作業をすることができる。また、作業者が運転席から降りるような場合には、前記ゲートロックレバーを操作することで、前記ゲートロック３０の接点を開き、各種アクチュエータの動作を不能にすることができる。
【００５１】
給脂作業時には、グリースガンによる給脂と、上部旋回体を少し旋回させる動作を交互に行う必要があるため、前記ゲートロック３０の接点は通常閉じられている。従って、給脂作業中に誤って操作レバーなどに接触すると、上部旋回体５や作業装置２３などを誤って動作させてしまうおそれがあった。しかし、本実施例では、前記給脂カバー２５を開かない限り給脂作業はできないので、給脂作業中は給脂スイッチ２６が開いた状態となり、その接点３１が開かれる。これにより、作業者などが誤って操作レバーに触れてしまっても、上部旋回体５や作業装置２３などを誤って動作させてしまうことを確実に防止できる。
【００５２】
次に、本実施例の動作を説明する。  
まず、作業者は、ハンドル７Ｅなどの走行操作手段を操作することにより、下部走行体２を走行させることができる。また、左，右の操作レバー７Ｄなどを操作することにより、旋回装置１０、作業装置２３などを動作させて土砂の掘削作業などを行うことができる。そして、稼働時間が所定の時間に到達したときには、旋回装置１０の旋回軸受などに対してグリースなどの潤滑油を給脂する。
【００５３】
この給脂作業について、作業者は、運転室内に設置された給脂カバー２５を開き、グリースガンの接続口（ホースなど）を前側充填口１８に接続する。グリースガンを前側充填口１８に接続後、グリースの充填を開始する。グリースガンから注入されたグリースは、前側充填口１８から取付ブロック１７の油通路、前側配管２１を経由し、外輪１２に設けた前側給脂口１５を通して内輪１１と外輪１２との間の前側の旋回軸受に供給することができる。
【００５４】
この給脂後、グリースガンを前側充填口１８から取外し、隣に並べられた後側充填口１９に接続する。この状態で、後側充填口１９にグリースを充填することにより、このグリースを、後側充填口１９から取付ブロック１７の油通路、後側配管２２を経由し、外輪１２に設けた後側給脂口１６を通して内輪１１と外輪１２との間の後側の旋回軸受に供給することができる。
【００５５】
旋回軸受の前側と後側への給脂が完了したら、グリースガンを前記後側充填口１９から取外し、給脂カバー２５を閉じる。これにより操作レバーなどは操作可能な状態となるから、上部旋回体を少し、例えば３０度或いは４５度程度回転させ、その後上記と同様の給脂作業を行う。この給脂、旋回の繰り返しを１／２周の間、例えば４〜６回繰り返すことにより、前記旋回軸受の周方向に亘って必要箇所に給脂を実施することができる。
【００５６】
本実施例によれば、運転室７内に前側充填口１８と後側充填口１９とを集中して配置した構成としているので、旋回フレーム６の下側に潜り込んだり、旋回フレーム６と下部走行体２との間から腕を無理に伸ばしたりすることなく、運転室７内においてグリースガンを前側充填口１８や後側充填口１９に容易且つ正確に接続することができる。この結果、旋回軸受の前側と後側への給脂を、効率良く運転室から容易に行うことができる。また、各充填口１８，１９はグリースガンを容易に接続できる部分に設けることができるから、接続不良によるグリースの垂れ落ちも防止することができる。更に、給脂時の作業者の移動や運転席７からの乗り降りが不要となり、作業性、安全性を高めることができる。
【００５７】
また、前記取付ブロック１７や各充填口１８，１９、各配管２１，２２の一方側の部分は、旋回フレーム６のアンダカバー６Ｈや運転室７により、走行時などの飛石、土砂などから保護することもでき、信頼性、耐久性を向上することができ、しかも外観上の見栄えも良好にすることができる。
【００５８】
更に、前記各充填口１８，１９を配置した部分は給脂カバー２５で覆うようにしているので、前記充填口に残ったグリースに埃が付着して汚れることも抑えることができる。
また、給脂作業中には操作レバーなどの操作をロックする誤動作防止手段を備えているので、給脂作業中に上部旋回体５を誤って旋回動作させたり、作業装置２３や下部走行体２を誤って動作させてしまう危険を回避できる。従って、安全な給脂作業を可能にする油圧ショベルを得ることができる。
【実施例２】
【００５９】
図１０は本発明の実施例２を説明する図で、前記充填口１８（１９）の部分を拡大して示す要部拡大図である。  
この実施例２では、図１０の（ａ）図に示すように、前側充填口１８と後側充填口１９のそれぞれに近接してそれぞれ給脂スイッチ２６′を設けたものである。この給脂スイッチ２６′にはその釦２６ａ′を押し下げ可能なレバー３２が回動可能に設けられている。
【００６０】
そして、（ｂ）図に示すように、グリースガンなどの給脂手段の接続口（例えばホース）３３をグリースニップルで構成された前側充填口１８或いは後側充填口１９に接続すると、前記接続口で前記操作レバー３２を押し下げ、これにより給脂スイッチ２６′の釦２６ａ′が押し込まれるように構成されている。
【００６１】
この実施例では、給脂手段の接続口が何れかの充填口１８または１９に接続されると、該充填口への給脂が可能になると共に、給脂スイッチの釦２６ａ′が押し込まれることで、給脂スイッチ２６′の接点（図９の３１参照）が開くように構成されている。これにより、給脂作業中に上部旋回体５を誤って旋回動作させたり、作業装置２３や下部走行体２を誤って動作させてしまう危険を回避可能な誤動作防止手段を構成することができる。
【００６２】
本実施例のように、給脂手段の接続口３３を充填口１８，１９に接続する動作に連動して、給脂スイッチ２６′がＯＮ／ＯＦＦするように構成しても、実施例１と同様な誤動作防止手段を構成することができ、安全な給脂作業を可能にする油圧ショベルを得ることができる。  
なお、この実施例２においては、各充填口１８，１９に隣接して給脂スイッチ２６′を設けているので、実施例１に示すような給脂スイッチ２６や給脂カバー２５は不要であるが、各充填口への埃の付着などを防止するため、給脂カバー２５は設けるようにした方が良い。他の構成は前述した実施例１と同様であるので、その説明を省略する。また、この実施例２においても前記実施例１と同様の効果を奏することができる。
【００６３】
なお、上記各実施例において、前記取付ブロック１７や給脂カバー２５の部分は、運転室内に設けられているフロアマット（図示せず）の下に覆い隠すように配置してもよい。
また、上記各実施例では、前側充填口１８、後側充填口１９、前側配管２１、後側配管２２を用い、外輪１２に設けた前側給脂口１５と後側給脂口１６の２箇所からグリースを供給する構成を例に挙げて説明した。しかし、本発明はこれに限らず、例えば外輪１２の周方向の３箇所または４箇所以上に給脂口を設ける構成としてもよい。この場合には、それぞれの給脂口に対応するだけの充填口や配管を設ける必要がある。このようにすれば、一度により多くの箇所への給脂が可能となるから、給脂作業の繰り返し回数を低減することが可能となる。なお、給脂作業の繰り返し回数は多くなるが、前記給脂口を１箇所だけ設ける構成としてもよい。
【００６４】
更に、前記各実施例では、建設機械として旋回装置を備えたホイール式の油圧ショベルを例に挙げて説明が、本発明はこれに限るものではなく、例えば旋回装置を備えたクローラ式の油圧ショベルまたは油圧クレーンなどの他の建設機械にも広く適用できるものである。
【００６５】
また、上記実施例では、給脂カバー２５の開閉或いは給脂手段の接続口３３を充填口１８，１９に接続する動作に連動して、給脂スイッチ２６，２６′がＯＮ／ＯＦＦするように構成したが、本発明はこれらの手段に限定されるものではなく、給脂作業時に、これに連動して、各種アクチュエータが誤作動するのを防止する誤動作防止手段を備えていれば良い。  
更に、上記実施例では、図９に示すように、給脂スイッチの接点３１をゲートロック３０と直列に接続して誤動作防止手段を構成しているが、これに限られるものではなく、ゲートロック３０とは別系統で誤動作防止手段を構成しても良い。
【００６６】
以上述べたように、本発明の各実施例によれば、運転室内に給脂口を配置する構成としているので、作業者が給脂作業中に運転席から乗り降りする必要がなくなり、旋回軸受への給脂作業を作業者一人でも容易に行うことができる。また、給脂作業を作業者一人で可能となるから作業員の数を低減できる。  
更に、給脂作業中にはこれに連動して、操作レバーなどによる操作をロックする誤動作防止手段を備えているので、給脂作業中に上部旋回体を誤って旋回動作させたり、作業装置や下部走行体を誤って動作させてしまう危険を回避できる。  
従って、本実施例によれば、旋回軸受への給脂作業を作業者一人でも容易に行うことができ、しかも安全な給脂作業を可能にする作業機械を得ることができる。
【符号の説明】
【００６７】
１：油圧ショベル（作業機械）、
２：下部走行体、３：車体フレーム、４：車輪、
５：上部旋回体、６：旋回フレーム、
７：  運転室、７Ａ：運転室ボックス、７Ｂ：床板、７Ｂ1：開口部、
７Ｃ：運転席、７Ｄ：作業操作レバー、７Ｅ：ステアリング装置、
１０：旋回装置、１１：内輪、１１Ａ：内歯歯車、１１Ｂ：案内溝、
１２：外輪、１２Ａ：案内溝、１３：鋼球、１４：旋回モータ、
１５：前側給脂口、１６：後側給脂口、
１７：取付ブロック、１８：前側充填口、１９：後側充填口、
２１：前側配管（配管）、２２：後側配管（配管）、
２５：給脂カバー、２６，２６′：給脂スイッチ、２６ａ，２６ａ′：釦、
２７：パイロット用油圧ポンプ、
２８：切換弁、２８ａ：ソレノイド装置、
２９：電源（バッテリー）、
３０：ゲートロック、３１：給脂スイッチの接点、
３２：レバー、
３３：給脂手段（グリースガン）の接続口。
【図１】
2012149680.tif 000003
【図２】
2012149680.tif 000004
【図３】
2012149680.tif 000005
【図４】
2012149680.tif 000006
【図５】
2012149680.tif 000007
【図６】
2012149680.tif 000008
【図７】
2012149680.tif 000009
【図８】
2012149680.tif 000010
【図９】
2012149680.tif 000011
【図１０】
2012149680.tif 000012